(57)【要約】【課題】      保持紐を直接撚り戻しのリングに結び付けて取り付けた魚入れ容器は、保持紐が回転体に取り付けた部分で破損する虞があること。【解決手段】  魚入れ容器１は、内部に魚を収容できる空間を有する容器２とこの容器を牽引する保持紐５を有している。保持紐５は、魚入れ容器１の前方側に設けた保持部３に形成されたノズル部４の支持孔３ａに差し込まれており、支持孔３ａ内に周方向に回動可能に収納した回転体６の中心孔６ｂに挿通されている。保持紐５は金属のリベットからなる抜け止め部材８が固定されて回転体６の中心孔６ｂから抜け止めされている。【選択図】        図３
2008187904.tif 000002
【特許請求の範囲】
【請求項１】
保持紐を有する魚入れ容器において、前記牽引ロープは筒状の回転体に挿通して抜け止めし、前記回転体を前記釣り用引き舟の前方側に回転可能に保持したことを特徴とする魚入れ容器。
【請求項２】
保持紐は、回転体に周方向に回転可能に挿通されていることを特徴とする請求項１記載の魚入れ容器。
【発明の詳細な説明】
【技術分野】
【０００１】
本発明は、保持紐を有する魚入れ容器に関する。
【背景技術】
【０００２】
従来から釣りを行う時には、保持紐を有する魚入れ容器が多く使用されている。
これらの魚入れ容器は魚を入れた収納部を水につけて魚を生かした状態で保持紐で流失しないように保持しておくものであるが、流れを受けると容器が回転して保持紐が撚れてしまうことがあった。
【０００３】
これに対して特許文献１のように撚り戻しのような回転体を容器に設けて、撚り戻しのリングに保持紐を取り付けた魚入れ容器が考案されて保持紐の撚れは解消した。
【０００４】
しかし、この魚入れ容器は、保持紐を直接撚り戻しのリングに結び付けているため、保持紐が回転体に取り付けた部分で破損する虞があった。
【特許文献１】実開昭６１−１０８１８５
【発明の開示】
【発明が解決しようとする課題】
【０００５】
解決しようとする課題は、保持紐を直接撚り戻しのリングに結び付けて取り付けた魚入れ容器は、保持紐が回転体に取り付けた部分で破損する虞があることである。
【０００６】
本発明の目的は前記欠点に鑑み、魚入れ容器に取り付けた保持紐の撚れを解消し、かつ、保持紐の破損を防止した魚入れ容器を提供することである。
【課題を解決するための手段】
【０００７】
上記課題を解決するために、
請求項１に係わる本発明は、保持紐を有する魚入れ容器において、前記牽引ロープは筒状の回転体に挿通して抜け止めし、前記回転体を前記釣り用引き舟の前方側に回転可能に保持したことを要旨とするものである。
請求項２に係わる本発明は、保持紐は、回転体に周方向に回転可能に挿通されていることを要旨とするものである。
【発明の効果】
【０００８】
本発明によると、魚入れ容器に取り付けた保持紐の撚れを解消し、かつ、保持紐の破損を防止することができる。
【発明を実施するための最良の形態】
【０００９】
以下、本発明の実施形態を図面に基づき説明すると、図１から図４は本発明の１つの実施例で、図１は魚入れ容器の使用状態図、図２は使用状態の魚入れ容器の全体図、図３は紐の保持部の平面断面図、図４はＡ−Ａ断面図で紐の保持部の正面断面である。
【００１０】
図１から図４のように、魚を入れる容器として鮎釣り等に使用する引き舟を用いた場合で説明すると、魚入れ容器１は、内部に魚を収容できる空間を有する容器２とこの容器２を牽引する保持紐５を有している。
【００１１】
釣り人Ｔは、流れの中に立ち込んだ時、身につけたベルト等に保持紐５の一端側に取り付けた係止具６を係止して保持紐５で容器２を牽引しながら水に浮かべて釣りを行うことができる。
【００１２】
容器２は船型をした容器で内部に水を入れた状態で水に浮くように形成され、また、上面側に開閉可能な蓋を有し、内部は魚が収容可能になっている。
容器２の前方側にはハンドルを兼ねる保持部３を有しており、容器２が流れに安定するように一対の支持紐７によって容器２と保持部３が連結されている。
【００１３】
保持紐５は、合成樹脂で形成された組紐やロープなどで柔軟性を有し、容器２を牽引しながら釣りをするときにその流失を防止する。
保持紐５の他端側は、図３、図４に示すように保持部３の前方側に形成されたノズル部４の支持孔３ａに差し込まれており、さらに、支持孔３ａ内に収納した保持紐５の長手方向に伸びる軸線Ｃを中心に周方向に回動可能にした回転体６の中心孔６ｂに挿通されて回転体６を貫通している。
さらに、回転体６を貫通した保持紐５の他端側は金属のリベットからなる抜け止め部材８が固定されて回転体６の中心孔６ｂに対し抜け止めされている。
【００１４】
保持部３のノズル部４の支持孔３ａはその奥で支持孔３ａより幅広の空間３ｂが形成され、支持孔３ａ内に周方向に回転可能に収納した合成樹脂の回転体６に形成した支持孔３ａより大径のフランジ６ａが空間部３ｂ内に収納されており保持紐５と共に回転体６が前方に引かれると空間部３ｂの内壁に当接して回転体６が支持孔３ａから脱落することを防止している。
【００１５】
回転体６がノズル部４の支持孔３ａに対し間隙を有し余裕を持って回転するのに対し、回転体６の中心孔６ｂに挿通された保持紐５は撚れが生じたときに中心孔６ｂ内にてその周方向に摺動するようになっている。
回転体６は、保持紐５より硬質の材料で形成されているため、保持部３のノズル部４の支持孔３ａとの摩擦が小さく回転が良好になる。
なお、回転体６は保持紐５に固定されていてもよい。
【００１６】
保持部３の後方側には、支持紐７が取り付けられ挿通孔３ｄから引き出されている。
支持紐７は、空間３ｂと壁を隔てて別に形成した保持部３の後方側空室３ｃ内に軸１０により回転可能に支持されたローラ９に折り返し状に引っ掛けてローラ９を介して長手方向に移動可能に取り付けられ、容器２が流れの影響で左右に振れたときにローラ９が回動して一対の支持紐７の左右長さを変えて容器２のバランスを取るようになっている。
【００１７】
このような魚入れ容器１を使用すると引き舟状の容器２がひっくり返り保持紐５に撚れが生じても保持部３にてその周方向に回転可能に支持されているため、保持紐５に撚れがたまることがなく、また、保持紐５の保持部３への取り付け部に負荷が掛かることが防止され、破損が防止される。
【００１８】
また、回転体６が支持孔３ａ内に介在することによって保持紐５と支持孔３ａの間隙が小さくなるためガタが規制されて回転がスムースになる。
さらに、回転体６のフランジ６ａと当接する空間３ｂの前方側の内壁は共に保持紐５軸線Ｃに直行し、また平面で形成されているため滑らかに摺動する。
したがって、容器２の水の抵抗による釣り人Ｔに掛かる荷重が小さくなり、疲れないで釣りをすることができる。
【００１９】
また、図５は魚入れ容器の他の実施例で、紐の保持部の平面断面図ある。
【００２０】
この魚入れ容器１は、容器２と保持部３の間に支持紐等を設ないで容器２の前端に保持紐５の保持部３が形成されている。
保持紐５は保持部３の前方側に形成されたノズル部４の支持孔３ａに差し込まれており、さらに、支持孔３ａ内に収納した保持紐５の長手方向に伸びる軸線Ｃを中心に周方向に回動可能にした回転体６の中心孔６ｂに挿通されて回転体６を貫通し、さらに、回転体６を貫通した保持紐５の他端側は金属のリベットからなる抜け止め部材８が固定されて回転体６の中心孔６ｂから抜け止めされている。
【００２１】
保持部３のノズル部４の支持孔３ａはその奥で支持孔３ａより幅広の空間３ｂが形成され、支持孔３ａ内に周方向に回転可能に収納した回転体６に形成した支持孔３ａより大径のフランジ６ａが空間部３ｂ内に収納されており保持紐５と共に回転体６が前方に引かれると空間部３ｂの内壁に当接して回転体６が支持孔３ａから脱落することを防止している。
なお、この魚入れ容器１では、回転体６がノズル部４の支持孔３ａに対し間隙を有し余裕を持って回転し、かつ、回転体６の中心孔６ｂに挿通された保持紐５が中心孔６ｂに対し間隙を有し、余裕を持って挿通されているため、より回転がスムースとなる。
その他については図１から図４の実施例と同じである。
【００２２】
なお、引き舟にて本願を説明したが、その他のびくなどの魚入れ容器に採用することもできる。
【産業上の利用可能性】
【００２３】
本発明は、釣り用の魚入れ容器全般に利用できる。
【図面の簡単な説明】
【００２４】
【図１】図１は、魚入れ容器の使用状態図である。
【図２】図２は、使用状態の魚入れ容器の全体図である。
【図３】図３は、紐の保持部の平面断面図である。
【図４】図４は、Ａ−Ａ断面図で紐の保持部の正面断面である。
【図５】図５は、他の実施例で紐の保持部の平面断面図である。
【符号の説明】
【００２５】
１    魚入れ容器
２    容器
３    保持部
５    保持紐
６    回転体
８    抜け止め部材
【図１】
2008187904.tif 000003
【図２】
2008187904.tif 000004
【図３】
2008187904.tif 000005
【図４】
2008187904.tif 000006
【図５】
2008187904.tif 000007